(57)【要約】      （修正有）【課題】簡単な機構によって常に定まった位置からスタンプローラーの回転をスタートし、定まった位置でスタンプローラーの回転を停止し、実用に供し得る新規な浸透印式ローラースタンプを提供する。【解決手段】スタンプローラー１の中心軸１０側とスタンプローラー１を軸支する側壁２側との間に巻バネ２７を介在して設け、この巻バネ２７の弾力により上記夫々の係止突起２５，２６を係合させる方向に巻バネ２７に弾力を付与し、上記夫々の係止突起２５，２６の係合を解く方向にスタンプローラー１を回転して巻バネ２７に巻き込み方向の弾力を付与し、スタンプローラー１の一回転状態で上記夫々の係止突起２５，２６の反対側で係止して、スタンプローラー１の回転終りを構成し、スタンプローラー１への回転力を解除するとスタンプローラー１が巻バネ２７の弾力によりスタート位置にまで復帰回転するようにしてなるものである。【選択図】図１
2010201664.tif 000002
【特許請求の範囲】
【請求項１】
スタンプローラーに固定した回転中心軸側と、スタンプローラーを軸支する側壁側の夫々に互いが係止する係止突起を設け、上記スタンプローラーの中心軸側とスタンプローラーを軸支する側壁側との間に巻バネを介在して設け、この巻バネの弾力により上記夫々の係止突起を係合させる方向に巻バネに弾力を付与し、この夫々の係止突起の契合位置をスタート位置とし、上記夫々の係止突起の係合を解く方向にスタンプローラーを回転して巻バネに巻き込み方向の弾力を付与し、スタンプローラーの一回転状態で上記夫々の係止突起の反対側で係止して、スタンプローラーの回転終りを構成し、スタンプローラーへの回転力を解除するとスタンプローラーが巻バネの弾力によりスタート位置にまで復帰回転するようにしてなる浸透印式ローラースタンプ。
【発明の詳細な説明】
【技術分野】
【０００１】
本発明は、常に定まった位置からスタンプローラーを回転スタートさせ、定まった位置でスタンプローラーの回転を停止終了する新規な浸透印式ローラースタンプに関する。
【背景技術】
【０００２】
浸透印式スタンプローラーを回転可能に軸支して、転写面上に転動することにより、ローラー表面の文字、図形、数字、記号、写真等の図柄を転写する浸透印式ローラースタンプは公知である。
また、ローラースタンプの頭出し及び終り位置を確定して常にローラースタンプの印版が定まって転写されるようにした頭出し付きのローラースタンプも公知である（例えば特許文献１，２）。
【先行技術文献】
【特許文献】
【０００３】
【特許文献１】実開平６−３６８５７号公報
【特許文献２】特開２００３−５４０９８号公報
【発明の概要】
【発明が解決しようとする課題】
【０００４】
しかしながら、上記特許文献１，２の先行例の技術は、ローラースタンプの頭出し及び終わり位置の確定のための機構が複雑であり、実用に不向きであるという課題があった。
本発明は、上記課題に鑑み、簡単な機構によって常に定まった位置からスタンプローラーの回転をスタートし、定まった位置でスタンプローラーの回転を停止し、実用に供し得る新規な浸透印式ローラースタンプを提供する。
【課題を解決するための手段】
【０００５】
そのために、本発明の浸透印式ローラースタンプは、スタンプローラーに固定した回転中心軸側と、スタンプローラーを軸支する側壁側の夫々に互いが係止する係止突起を設け、上記スタンプローラーの中心軸側とスタンプローラーを軸支する側壁側との間に巻バネを介在して設け、この巻バネの弾力により上記夫々の係止突起を係合させる方向に巻バネに弾力を付与し、この夫々の係止突起の契合位置をスタート位置とし、上記夫々の係止突起の係合を解く方向にスタンプローラーを回転して巻バネに巻き込み方向の弾力を付与し、スタンプローラーの一回転状態で上記夫々の係止突起の反対側で係止して、スタンプローラーの回転終りを構成し、スタンプローラーへの回転力を解除するとスタンプローラーが巻バネの弾力によりスタート位置にまで復帰回転するようにしてなるものである。
【発明の効果】
【０００６】
本発明は、スタンプローラーに固定した回転中心軸側と、スタンプローラーを軸支する側壁側の夫々に互いが係止する係止突起を設け、上記スタンプローラーの中心軸側とスタンプローラーを軸支する側壁側との間に巻バネを介在して設け、この巻バネの弾力により上記夫々の係止突起を係合させる方向に巻バネに弾力を付与し、この夫々の係止突起の契合位置をスタート位置とし、上記夫々の係止突起の係合を解く方向にスタンプローラーを回転して巻バネに巻き込み方向の弾力を付与し、スタンプローラーの一回転状態で上記夫々の係止突起の反対側で係止して、スタンプローラーの回転終りを構成し、スタンプローラーへの回転力を解除するとスタンプローラーが巻バネの弾力によりスタート位置にまで復帰回転するようにしてなるものであるから、
スタンプローラーに何らの外力がかからないローラースタンプの状態では、スタンプローラーは常にスタート位置に位置付けられており、常にスタンプローラーのスタート位置からスタンプローラーを回転させることができ、スタンプローラーの一回転でスタンプローラーの回転が停止して回転終りとなる。従って常に同じ印を転写できる効果がある。また、そのための機構が、スタンプローラーの回転中心軸側と、スタンプローラーを軸支する側壁側の夫々に互いに係止する係止突起を設け、スタンプローラーの中心軸側とスタンプローラーを軸支する側壁側との間に巻バネを設けるだけの簡単な構成であるから、実用に供し得る浸透印式スタンプローラーとなし得た効果がある。
【図面の簡単な説明】
【０００７】
【図１】本発明浸透印式ローラースタンプの断面正面図である。
【図２】同上ローラースタンプの左側側面図である。
【図３】同上ローラースタンプの左側側壁を除去した左側側面図で、図１上Ａ−Ａ線に沿う図面である。
【図４】同上ローラースタンプの右側側面図である。
【図５】同上ローラースタンプの右側側壁を除去した右側側面図で、図１上Ｂ−Ｂ線に沿う図面である。
【図６】同上ローラースタンプの分解正面図である。
【図７】同上ローラースタンプの要部を示す側面図である。
【図８】同上ローラースタンプの要部を示す正面図である。
【図９】同上ローラースタンプの分解斜面図である。
【発明を実施するための最良の形態】
【０００８】
本発明の浸透印式ローラースタンプを図面に示した実施例により詳細に説明する。
本発明浸透印式ローラースタンプは、その主要部を構成する浸透印式スタンプローラー１と、このスタンプローラー１を回転可能に支持する左右一対の側壁２，３と、スタンプローラー１に外力が付加されない状態で常にスタンプローラー１を定まった位置に位置付ける定位置保持機構４とによって構成される。
【０００９】
浸透印式スタンプローラー１は、表面に印面を有し、合成樹脂材の浸透材からなる円筒状のスタンプ材５と、このスタンプ材５の内側に嵌合し、多数の透孔（図示せず）を有し、内部に保有するインクをスタンプ材５に供給するインクタンク６とからなり、このインクタンク６内にインクを保有するフェルト材７を充填してある。インクタンク６の左右の開口に左側軸部材８及び右側軸部材９を嵌合固定して、夫々の軸部材８，９に回転中心軸１０，１１を突設してある。
【００１０】
左右の側壁２，３の軸受孔１２，１３にスタンプローラー１の左右の軸部材８，９の回転中心軸１０，１１を軸支してスタンプローラー１を回転可能に支持してある。左側側壁２には、後に詳述する定位置保持機構４を受容する空所１４を設けるため外側への膨出部１５を形成してある。
右側軸受部材９には、回転中心軸１１の中心にネジ孔透孔１６を穿設してあり、軸受孔１３を貫通してパッキン兼ワッシャ１８を介してネジ１７を捻じ込んで設けてある。このネジ孔透孔１６がインクタンク６内にインクを補充するための供給口を構成してある。
【００１１】
上記左右の側壁２，３間に上部のカバー体１９を設けてあり、このカバー体１９は、スタンプローラー１をカバーする上部カバー体２０とローラースタンプを把持してローラースタンプを転動操作する操作カバー体２１とから構成されている。左右側壁２，３はこの上部カバー体１９に複数のネジ２２により固定してあり、この構成により上部カバー体付の左右側壁２，３間にスタンプローラー１を回転可能に軸支支持してある。
【００１２】
左側側壁２の膨出部１５の上部に、後述するストッパー部材２４を膨出部１５内の上部空所１４に受け入れる透孔２３を形成してあり、ストッパー部材２４を左側側壁２の外から膨出部１５の透孔２３に差し入れて、ネジ２２でストッパー部材２４を側壁２に固定し、左側側壁２の一部としてある。
スタンプローラー１に嵌合固定した左側軸部材８には、その上部に係止突起２５を突設してあり、一方、左側側壁２にも、そのストッパー部材２４に上記係止突起２５と対をなし係合する係止突起２６を突設してある。この夫々の係止突起２５，２６が係合する位置がスタンプローラー１の定まった位置であり、スタート位置であり、この係止突起２５，２６と後述する巻バネとにより定位置保持機構４を構成する。
【００１３】
左側側壁２の膨出部１５内の空所１４内に巻バネ２７を収めてある。この巻バネ２７はスタンプローラー１が転動してスタンプを転写する方向に回転することによって巻き込まれて復元する方向に巻かれている。そのために、この巻バネ２７の中心端２８は、左側軸部材８に設けた係止部２９に係止させてあり、巻バネ２７の外端３０は、上記ストッパー部材２４に設けた係止部（図示せず）に係止させてある。
【００１４】
この他図中３１は、上部カバー体２０に着脱可能に設けた下部カバー体で、スタンプローラー１の下部をカバーする。また、図中３２は把持カバー体２１の表面をカバーする紙片で、ローラースタンプの内容を表示するもの、例えばローラースタンプの印面を表示してある。さらに、図中３３は、上記紙片３２の表面をカバーする透明カバー体である。
【００１５】
上記の通りの構成からなる本発明ローラースタンプを使用するときには、下部カバー体３１を外してスタンプローラー１を露呈し、このスタンプローラー１を転写面に当接し、このスタンプローラー１を転写面上を転動してスタンピングを行うのである。
本発明では、スタンプローラー１の左側軸部材８の係止突起２５と左側側壁２に一体的に設けたストッパー部材２４の係止突起２６とを巻バネ２７の弾性力により係合させてあり、これによりスタンプローラー１の定位置を確保してあり、スタート位置としてある。この状態からスタンプローラー１を転動して一回転すると上記係合突起２５と２６とがスタンプローラー１のスタート位置とは反対位置で係合しスタンプローラー１の回転終了となる。これによりスタンプローラー１の印面を確実に転写することができる。この回転終了の後、ローラースタンプを転写面から離して上動すると、巻バネ２７の復元弾力によりスタンプローラー１はそのスタート位置の定まった位置に復帰することになる。
【符号の説明】
【００１６】
１  スタンプローラー
２  左側側壁
３  右側側壁
４  定位置保持機構
５  スタンプ材
６  インクタンク
７  フェルト材
８  左側軸部材
９  右側軸部材
１０，１１  回転中心軸
１２，１３  軸受孔  
１４  空所
１５  膨出部
１６  ネジ孔透孔
１７  ネジ
１８  ワッシャ
１９  上部のカバー体
２０  上部カバー体
２１  把持カバー体
２２  ネジ
２３  透孔
２４  ストッパー部材
２５，２６  係止突起
２７  巻バネ
２８  中心端
２９  係止部
３０  外端
３１  下部カバー体
３２  紙片
３３  透明カバー体  
【図１】
2010201664.tif 000003
【図２】
2010201664.tif 000004
【図３】
2010201664.tif 000005
【図４】
2010201664.tif 000006
【図５】
2010201664.tif 000007
【図６】
2010201664.tif 000008
【図７】
2010201664.tif 000009
【図８】
2010201664.tif 000010
【図９】
2010201664.tif 000011